(57)【特許請求の範囲】
【請求項１】
光源としての放電灯を収納した灯体と、灯体の外部の電源から給電され放電灯を点灯させる電力を供給する点灯装置と、灯体の内周面に一体に形成された隔壁と灯体の内周面とにより囲まれ点灯装置が挿入される開口を一面に有し点灯装置のケースを収納する収納室と、点灯装置のケースに設けられた第１のカプラと、点灯装置のケースを収納室に装着したときに第１のカプラに着脱可能に結合されるように収納室に付設された第２のカプラと、第２のカプラから放電灯への電路を形成する負荷線と、灯体の外面に露出し点灯装置と電気的に接続されており前記電源を灯体の外部で接続する電源接続部とを備え、収納室の前記一面に設けた前記開口が灯体の内部空間に開放されていることを特徴とする照明装置。
【請求項２】
前記点灯装置のケースに第１のカプラとともに前記電源接続部としての電源カプラが設けられ、電源カプラは灯体の周壁に形成した導出口を通して灯体の外面に露出し、導出口の周部と前記ケースとの間にはパッキンとなる弾性材が挟装されることを特徴とする請求項１記載の照明装置。
【請求項３】
前記灯体が、放電灯および点灯装置を収納する主筒と、主筒に形成した開口部を覆う形で主筒に着脱可能に取着されたバルブカバーとからなり、前記収納室の一面が前記開口部に臨んで開放されていることを特徴とする請求項１記載の照明装置。
【発明の詳細な説明】
【０００１】
【発明の属する技術分野】
本発明は、主として自動車の前照灯に用いられ、インバータを備える点灯装置により放電灯を点灯させる照明装置に関するものである。
【０００２】
【従来の技術】
従来から自動車の前照灯に用いる照明装置として、図２１に示すように、リフレクタ１１を備えた灯体１０内に光源としての放電灯（ＨＩＤランプを用いる）１２を配置し、灯体１０の外側に配置した点灯装置２０により放電灯１２を点灯させるものがある。図示する点灯装置２０は、放電灯の始動に際して高電圧パルスを印加するイグナイタと、直流電源を電力変換して放電灯１２を点灯維持させるインバータとを一つのケース２５に収納して構成され、図２１（ｂ）のように、ハーネスであるランプ線Ｌｄを介してソケット２２に接続されるとともに、ハーネスである電源線Ｌｐを介して電源カプラ２３に接続されている。なお、ハーネスは両端に着脱可能な接続部を設けた接続線を意味する。ソケット２２はリフレクタ１１の後部外側に配置されて放電灯１２を保持するとともに放電灯１２に点灯装置２０を接続する。また、電源カプラ２３は灯体１０の後端部に取り付けられている。
【０００３】
図示する点灯装置２０は、ケース２５の外側面に取付片２５ｄが突設され、取付片２５ｄに挿通される固定ねじ３１を用いて灯体１０の外側面に固定される。また、灯体１０の外側面には点灯装置２０を覆って防水性能を確保するためのカバー３２が取付ねじ３３を用いて取り付けられている。ランプ線Ｌｄおよび電源線Ｌｐは灯体１０の周壁に形成された挿通孔１０ｄを通して灯体１０の内部に引き込まれる。したがって、図２１に示す構成で点灯装置２０を組み付けるには、灯体１０の後部に設けたバルブカバー１５およびカバー３２を外しておき、点灯装置２０を灯体１に固定ねじ３１で固定し、負荷線Ｌｄや電源線Ｌｐをソケット２２や電源カプラ２３に接続し、さらに、バルブカバー１５およびカバー３２を灯体１０に取り付けることになる。
【０００４】
一方、図２２に示すように、点灯装置２０のケース２５にはインバータ２０ｂのみを収納し、イグナイタ２０ａを別体に設けることが考えられており、この構成ではイグナイタ２０ａをバルブカバー１５に取り付けて、灯体１０内に配置されるイグナイタ２０ａから引き出したランプ線Ｌｄにソケット２２を接続してある。また、点灯装置２０のケース２５は図２１に示した構成と同様に灯体１０の外側に配置され、灯体１０の外側に配置されるインバータ２０ｂから引き出した電源線Ｌｐに電源カプラ２３を接続するとともに電源カプラ２３を灯体１０の外側面に取り付けた構成のものも考えられている。この構成では、インバータ２０ｂから引き出された負荷側電線Ｌｒとイグナイタ２０ａから引き出された電源側電線Ｌｑとをカプラ３４ａ，３４ｂを介して着脱自在に接続してある。ここに、点灯装置２０から引き出した負荷側電線Ｌｒはグロメット３５を通して灯体１０の内部に導入されるようになっている。つまり、図２２に示す構成では、灯体１０の内部に電線を引き込む部分をカバーで覆っていないから、グロメット３５を用いて防水性能を確保している。
【０００５】
【発明が解決しようとする課題】
図２１に示した構成では、点灯装置２０やカバー３２を灯体１０に取り付けるとともに、灯体１０の内部で負荷線Ｌｄや電源線Ｌｐを引き回し、点灯装置２０の固定や電源カプラ２３の接続を行った後にカバー３２およびバルブカバー１５を灯体１０に取り付けなければならないから、点灯装置２０を組み付ける作業に時間がかかるという問題がある。しかも、灯体１０の外側にカバー３２を取り付けているものであるから全体として大型化するという問題があり、さらには大型のカバー３２の全周に亘って防水の構成が必要になるから、コスト高につながるという問題がある。
【０００６】
また、図２２に示した構成では、カバー３２を用いていないから図２１に示した構成よりも点灯装置２０を組み付ける作業が容易であるとはいうものの、グロメット３５を灯体１０に取り付けたり、灯体１０の内部での電線の引き回しやカプラ３４ａ，３４ｂの接続作業が必要であって、図２２に示した構成でも組立作業に時間がかかるという問題を有している。
【０００７】
本発明は上記事由に鑑みて為されたものであり、その目的は、灯体に点灯装置を組み付ける際の作業性を従来構成よりも向上させた照明装置を提供することにある。
【０００８】
【課題を解決するための手段】
請求項１の発明は、光源としての放電灯を収納した灯体と、灯体の外部の電源から給電され放電灯を点灯させる電力を供給する点灯装置と、灯体の内周面に一体に形成された隔壁と灯体の内周面とにより囲まれ点灯装置が挿入される開口を一面に有し点灯装置のケースを収納する収納室と、点灯装置のケースに設けられた第１のカプラと、点灯装置のケースを収納室に装着したときに第１のカプラに着脱可能に結合されるように収納室に付設された第２のカプラと、第２のカプラから放電灯への電路を形成する負荷線と、灯体の外面に露出し点灯装置と電気的に接続されており前記電源を灯体の外部で接続する電源接続部とを備え、収納室の前記一面に設けた前記開口が灯体の内部空間に開放されているものである。
【００１２】
請求項２の発明は、請求項１の発明において、前記点灯装置のケースに第１のカプラとともに前記電源接続部としての電源カプラが設けられ、電源カプラは灯体の周壁に形成した導出口を通して灯体の外面に露出し、導出口の周部と前記ケースとの間にはパッキンとなる弾性材が挟装されるものである。
【００１３】
請求項３の発明は、請求項１の発明において、前記灯体が、放電灯および点灯装置を収納する主筒と、主筒に形成した開口部を覆う形で主筒に着脱可能に取着されたバルブカバーとからなり、前記収納室の一面が前記開口部に臨んで開放されているものである。
【００２３】
【発明の実施の形態】
（第１の実施の形態）
本実施形態は、図１に示すように、凹面鏡であるリフレクタ１１を備えた灯体１０内にＨＩＤランプである放電灯１２を配置し、さらに灯体１０の内部空間に点灯装置２０を収納する収納室１３を形成したものである。灯体１０は、角筒状であって後壁１０ａを一体に形成した主筒１４と、後壁１０ａに形成した円形の開口部１０ｂを覆うように後壁１０ａに着脱可能に結合されるバルブカバー１５とにより形成される。主筒１４とバルブカバー１５とは、ねじのような固定具を用いることによって着脱可能に結合される。バルブカバー１５は放電灯１２の交換時などに主筒１４から取り外される。また、主筒１４の前面側は透光性を有するランプカバー１８により覆われる。
【００２４】
収納室１３は、図１（ｂ）のように、灯体１０の内周面のうち平面状である部位に一体に形成された断面コ字状の隔壁１６と灯体１０の内周面とにより囲まれた空間であって、収納室１３のうち灯体１０の前端側の一面は矩形状に開放されており、収納室１３のうち灯体１０の後端側の一面にはカプラ（コネクタ）２１が付設されている。カプラ２１は灯体１０に一体に成形される。ただし、灯体１０とは別体のカプラ２１を灯体１０に固定してもよい。カプラ２１にはハーネスである負荷線Ｌｄを介してソケット２２が接続されるとともに、ハーネスである電源線Ｌｐを介して電源接続部としての電源カプラ２３が接続される。ソケット２２は灯体１０の内部でリフレクタ１１の後面側の定位置に固定され、放電灯１２を保持するとともに放電灯１２に負荷線Ｌｄを電気的に接続する。一方、電源カプラ２３は後壁１０ａに挿通された形で固定され、電源カプラ２３の接続部は灯体１０の外側に形成される。
【００２５】
ところで、カプラ２１の接続部は収納室１３の内側に形成されており、このカプラ２１には点灯装置２０に設けたカプラ２４が着脱可能に結合される。点灯装置２０は、放電灯の始動に際して高電圧パルスを印加するイグナイタ２０ａと、直流電源を電力変換して放電灯１２を点灯維持させるインバータ２０ｂとを直方体状のケース２５に収納して構成されており、ケース２５の一面にカプラ２４が取り付けられている。このカプラ２４は電源に電気的に接続される接触子と放電灯１２に電気的に接続される接触子とを備える。また、カプラ２４はカプラ２１との間で比較的大きい強度で機械的に結合されるものを用いている。したがって、点灯装置２０のケース２５を収納室１３の開口側から挿入し、カプラ２４がカプラ２１と結合する位置まで挿入すれば、点灯装置２０は灯体１０に取り付けられることになる。また、ソケット２２とカプラ２１は負荷線Ｌｄにより接続され、電源カプラ２３とカプラ２１は電源線Ｌｐにより接続されているから、点灯装置２０を収納室１３に装着すれば、点灯装置２０の電気的接続と機械的固定とが同時になされることになる。
【００２６】
また、図２に示すように収納室１３の開口付近の内周面には開口側から奥側に向かって突出量を大きくする係止突起１７ａが突設されており、点灯装置２０のカプラ２１が灯体１０に固定したカプラ２１に結合された位置で、点灯装置２０のケース２５が係止突起１７ａに係止されるようになっている。この構成によって、点灯装置２０のケース２５が収納室１３に格納された状態で収納室１３から脱落しないようにロックされることになる。ここにおいて、電源カプラ２３を除いては灯体１０の内外に貫通する部材はなく点灯装置２０については防水の必要がないから低コスト化につながる。また、灯体１０の内部に点灯装置２０が収納されているが、放電灯１２との間にはリフレクタ１１と隔壁１６とが介在しているから、点灯装置２０の過熱を抑制することができる。
【００２７】
上述した例では、１つのケース２５にイグナイタ２０ａとインバータ２０ｂとを内蔵しているが、図３に示すように、イグナイタ２０ａをソケット２２に内蔵させてもよい。あるいはまた、図４に示すように、ソケット５を用いずに負荷線Ｌｄに接続される放電灯１２を用い、放電灯１２にイグナイタ２０ａを内蔵させてもよい。また、図５に示すように、バルブカバー１５にイグナイタ２０ａを取り付け、カプラ２１とイグナイタ２０ａとの間およびソケット２２とイグナイタ２０ａとの間をそれぞれハーネスよりなる負荷線Ｌｄ１，Ｌｄ２により接続してもよい。なお、上述の例では、ケース２５にカプラ２４が一体に結合されているものとしているが、カプラ２４をケース２５から分離可能としてもよく、またケース２５にコンタクトを直に配列することによってカプラ２４を構成してもよい。
【００２８】
点灯装置２０のケース２５を収納室１３に脱落しないように固定する構成としては、図６ないし図８に示す構成を採用してもよい。図６に示すものは、ケース２５における隔壁１６との対向面（ケース２５の上面）に係止凹所１７ｂを形成し、ケース２５を収納室１３に装着した状態で係止凹所１７ｂに係合する係止突起１７ａを隔壁１６の内周面に突設したものである。また、図７に示すものは、ケース２５における隔壁１６との対向面に係止突起１７ａを突設し、隔壁１６に係止凹所１７ｂを形成したものであって、図６に示したものと同様の機能を有する。また、図８に示すものは、ケース２５においてカプラ２４とは反対側の端部に取付片２５ａが突設され、取付片２５ａに挿通される固定ねじ２６を隔壁１６の一部に螺合させるのである。この構成では、固定ねじ２６によってケース２５を灯体１０に固定することになるから、点灯装置２０の灯体１０に対する結合強度をより高めることができる。
【００２９】
（第２の実施の形態）
本実施形態では、図９および図１０に示すように、図３に示した構成と同様にイグナイタ２０ａをソケット２２に内蔵した例を示す。本実施形態の点灯装置２０には２個のカプラ２４ａ，２４ｂを設けてあり、一方のカプラ２４ａは灯体１０の周壁と収納室１３との間に配置したカプラ２７に結合され、カプラ２７はハーネスよりなる負荷線Ｌｄを介してソケット２２に接続される。灯体１０の周壁と収納室１３との間にはカプラ２７に相当する隙間が形成されており、点灯装置２０のケース２５には、この隙間に相当する寸法の突出部２５ｂが形成される。他方のカプラ２４ｂは突出部２５ｂから突出する形に形成されている。ここに、カプラ２４ｂは点灯装置２０を構成する回路部品を実装した印刷配線基板の端部に導電パターンにより形成してある。つまり、印刷配線基板の一部を突出させ、この突出部位に突出方向に沿った直線状の複数本の導電パターンを形成することによってカプラ２４ｂを形成してある。このカプラ２４ｂはカードエッジコネクタに接続可能であって電源に接続される電源接続部を形成する。このように、負荷側と電源側とのカプラ２４ａ，２４ｂを各別に設けたことによって、灯体１０の内部配線と灯体１０の外部からの電源系とを分離することができ、負荷側出力の電源側への回り込みを防止することができる。
【００３０】
収納室１３の隔壁１６には突出部２５ｂが通る挿通孔１６ａが形成され、灯体１０の周壁にはカプラ２４ｂが通る導出孔１０ｃが形成される。導出孔１０ｃの周囲にはパッキンとなる弾性材２８が配設され、収納室１３にケース２５を装着した状態では突出部２５ｂと灯体１０の周壁内周面との間に弾性材２８が挟装されるようになっている。このように弾性材２８をケース２５と灯体１０との間に挟装することによって、導出孔１０ｃの周囲の防水性が確保される。また、この状態でカプラ２４ａはカプラ２７に結合される。
【００３１】
本実施形態の構成では、灯体１０の内部に収納されたカプラ２７に負荷線Ｌｄを介してソケット２２が接続されているから、第１の実施の形態と同様に、点灯装置２０を収納室１３に装着すれば、点灯装置２０とソケット２２とが接続されることになり組立作業が容易になっている。しかも、本実施形態では灯体１０の周壁に形成した導出孔１０ｃを通して電源に接続するためのカプラ２４ｂを灯体１０の外に突出させるから、第１の実施の形態に比較すると電源線Ｌｐが不要であって、組立作業が一層容易になっている。他の構成および動作は第１の実施の形態と同様である。
【００３２】
（第３の実施の形態）
本実施形態は、図１１に示すように、灯体１０の内部に形成する収納室１３を、後方（図１１の右方）に向かって上り傾斜させたものである。したがって、収納室１３の下壁は灯体１０の周壁とは別に設けてある。この収納室１３は後端面が矩形状に開放されている。本実施形態における点灯装置２０では、負荷側のカプラ２４ａと電源側のカプラ２４ｂとを分離して設けてあり、各カプラ２４ａ，２４ｂはケース２５の両端に設けてある。負荷側のカプラ２４ａはハーネスよりなる負荷線Ｌｄを介してソケット２２に接続される。また、収納室１３の前端部にはカプラ２１ａが配置され、このカプラ２１ａに電源側のカプラ２４ｂが結合される。カプラ２１ａは灯体１０の後端下部に取り付けられた電源カプラ２３にハーネスである電源線Ｌｐを介して接続されている。したがって、収納室１３に点灯装置２０のケース２５を装着してカプラ２４ｂをカプラ２１ａに結合し、カプラ２４ａに負荷線Ｌｄを接続すれば、点灯装置２０をソケット２２に接続することができる。ここに、本実施形態では図３に示した構成と同様にソケット２２にイグナイタ２０ａが内蔵された構成としている。
【００３３】
第１の実施の形態でも説明したように、灯体１０を構成する主筒１４には円形の開口部１０ｂが形成されており、この開口部１０ｂを覆う形でバルブカバー１５が装着されるのであって、図１２に示すように、収納室１３は開口部１０ｂにおいて開放されている。したがって、点灯装置２０はバルブカバー１５を開いた状態で収納室１４に着脱することができる。また、本実施形態においても第２の実施の形態と同様に、負荷側と電源側とのカプラ２４ａ，２４ｂを各別に設け、互いの距離を離して設けているから、負荷側出力の電源側への回り込みを防止することができる。他の構成および動作は第１の実施の形態と同様である。
【００３４】
（参考例１）
本例は、図１３に示すように、点灯装置２０の直方体状のケース２５を装着可能な収納室１３をバルブカバー１５に設けたものである。つまり、バルブカバー１５における灯体１０の内側に連通する空間を凹没させ、凹没部位に収納室１３を形成しているのである。本例においても図３に示した構成と同様にソケット２２にイグナイタ２０ａが内蔵された構成としている。しかして、収納室１３にケース２５を装着した状態でソケット２２側となるケース２５の一面には負荷側のカプラ２４ａを設け、バルブカバー１５の内周面との対向面には電源側のカプラ２４ｂを設けてある。また、バルブカバー１５にはカプラ２４ｂが結合可能な電源カプラ２３が取り付けてある。カプラ２４ａはハーネスである負荷線Ｌｄを用いてソケット２２に接続される。
【００３５】
上述した構成によって、バルブカバー１５を主筒１４から取り外せば、点灯装置２０を着脱することができ組立作業が容易になる。また、点灯装置２０はバルブカバー１５に収納されるから防水の必要がなく低コスト化につながる。他の構成および動作は第１の実施の形態と同様である。
【００３６】
（参考例２）
本例は、図１４に示すように、灯体１０の下部に外向きに開放された収納室１３を一体に形成したものである。つまり、従来の灯体１０の外形寸法を変更することなく、その寸法内で灯体１０の下部に隔壁１６で囲まれた収納室１３を形成してある。この収納室１３は灯体１０の後面下部（後壁１０ａ）に開放されており、前端部にはカプラ２１が配置される。また、灯体１０の後面上部には電源カプラ２３が配置される。カプラ２１と電源カプラ２３とはハーネスよりなる電源線Ｌｐにより接続され、カプラ２１とソケット２２とはハーネスよりなる負荷線Ｌｄにより接続される。ここに、本例では図３に示した構成と同様にソケット２２にイグナイタ２０ａが内蔵されているものとしている。
【００３７】
点灯装置２０のケース２５にはイグナイタ２０ａおよび電源に接続されるカプラ２４が設けられ、このカプラ２４がカプラ２１に結合可能になっている。また、ケース２５は収納室１３に収納した状態において後端部が収納室１３から突出する寸法に形成され、突出部分には灯体１０の後壁１０ａの後面に対向する外鍔片２５ｃが形成される。外鍔片２５ｃと後壁１０ａとの間にはパッキンとなる弾性材２９が介装され、外鍔片２５ｃを通して灯体１０に螺合する固定ビス３０によって点灯装置２０が灯体１０に固定される。
【００３８】
本例の構成では、収納室１３の開口周縁のみを弾性材２９によって防水すればよいから、防水性の確保が容易であり、小型かつ低コストで防水性能を確保することができる。また、点灯装置２０は収納室１３にケース２５を装着するだけで結線することができるから組立作業が容易である。さらに、点灯装置２０は灯体１０に対して容易に着脱できるから、点灯装置２０の交換作業が容易である。また、収納室１３は隔壁１６により囲まれているから、放電灯１２の熱の影響を受けにくくなっている。他の構成および動作は第１の実施の形態と同様である。
【００３９】
（参考例３）
本例は、図１５に示すように参考例２とほぼ同様の構成を有するが、点灯装置２０のケース２５において収納室１３への収納時に灯体１０の外に露出する部位に電源側のカプラ２４ｂを設け、収納室１３の前端部には負荷側のカプラ２４ａが結合されるカプラ２１ａを設けたものである。カプラ２１ａには負荷線Ｌｄを介してソケット２２が接続されるが、本例では電源カプラ２３は不要になっている。つまり、電源側のカプラ２４ｂを灯体１から直接露出させていることによって、電源カプラ２３が不要になっている。他の構成および動作は参考例２と同様である。
【００４０】
（参考例４）
本例は、図１６に示すように、隔壁１６で囲まれた収納室１３を灯体１の上面に開放するものである。つまり、参考例２や参考例３と同様に、収納室１３は灯体１０の外側に開放される。ただし、収納室１３の開口面は灯体１０の上面になる。本例は、収納室１３の開口面の位置が参考例２や参考例３と異なるのみであって、図１７（ａ）（ｂ）のように収納室１３への点灯装置２０の取付方は参考例２ないし参考例３と同様である。
【００４１】
すなわち、図１７（ａ）に示す構成では、点灯装置２０のケース２５において収納室１３への装着時に灯体１０の外部に突出する部位に、外鍔状の外鍔片２５ｃが形成されており、パッキンとなる弾性材２９を灯体１０の外周面と外鍔片２５ｃとの間に挟装する形で固定ビス３０を用いて点灯装置１０を灯体１０に固定しているのである。ここで、点灯装置２０のケース２５に収納室１３の下端部に配置されたカプラ２１に結合されるカプラ２４が設けられ、カプラ２１に接続されたハーネスよりなる負荷線Ｌｄおよび電源線Ｌｐを介してソケット２２と電源カプラ２３とに接続されるようになっている。
【００４２】
一方、図１７（ｂ）に示す構成では、点灯装置２０のケース２５において収納室１３への装着時に灯体１０の外部に露出する部位に電源側のカプラ２４ｂが設けられ、収納室１３の下端部には負荷線Ｌｄのみ接続されるカプラ２１ａが設けられる。カプラ２１ａには点灯装置２０の負荷側のカプラ２４ａが結合される。他の構成および動作は参考例２ないし参考例３同様である。
【００４３】
（第４の実施の形態）
本実施形態は、第１の実施の形態と同様の点灯装置２０のケース２５に設けるカプラ２４を、図１８に示すように、可動式としたものである。つまり、カプラ２４における点灯装置２０側の部分Ｐａとカプラ２１に接続される部分Ｐｂとが、互いに折り畳み可能に結合されているのである。この種の折り畳み可能な構成は、プラグなどにおいて栓刃部分と本体部分とを回動自在に結合した構成と同様の構成を採用することができる。あるいはまた、フレキシブル基板を介して２部分Ｐａ，Ｐｂを結合する構成としてもよい。
【００４４】
このようにカプラ２４を折り畳み可能な構成としたことによって、たとえば、図１９（ａ）に示すようにカプラ２１との結合時には折り畳まずに結合作業を行い、その後、図１９（ｂ）のようにカプラ２４を折り畳むことによって凹所として形成されている収納室１３に収納することが可能になる。なお、収納室１３が開放されているから、図２、図６、図７、図８に示したように、収納室１３からのケース２５の脱落を防止する構成を採用するのが望ましい。図１９に示す配置は一例であって、図２０（ａ）〜（ｃ）のように、灯体１０の内周面に沿っていろいろな位置に配置することが可能になり、電源カプラ２３の位置を適宜に設定することが可能になる。なお、図２０は配置関係を示す概略図であって、配置を示す上で不要な構成については省略してある。
【００４５】
本実施形態の構成では、点灯装置２０におけるカプラ２４の取付位置の制約が少なくなく少品種で灯体１０の種々の仕様に対応可能になる。また、灯体１０の中での位置の自由度も高くなるから、カプラ２１の位置や収納室１３の位置を他の制約条件を優先して設計することができ、灯体１０の設計が容易になる。他の構成および動作は第１の実施の形態と同様である。
【００４６】
【発明の効果】
請求項１の発明は、光源としての放電灯を収納した灯体と、灯体の外部の電源から給電され放電灯を点灯させる電力を供給する点灯装置と、灯体の内周面に一体に形成された隔壁と灯体の内周面とにより囲まれ点灯装置が挿入される開口を一面に有し点灯装置のケースを収納する収納室と、点灯装置のケースに設けられた第１のカプラと、点灯装置のケースを収納室に装着したときに第１のカプラに着脱可能に結合されるように収納室に付設された第２のカプラと、第２のカプラから放電灯への電路を形成する負荷線と、灯体の外面に露出し点灯装置と電気的に接続されており前記電源を灯体の外部で接続する電源接続部とを備え、収納室の前記一面に設けた前記開口が灯体の内部空間に開放されているものであり、灯体に設けた収納室に点灯装置のケースを装着すれば、第１のカプラと第２のカプラとが結合されて結線作業がなされる。つまり、点灯装置の着脱に際しては結線作業が不要になる。また、収納室は灯体に一体に形成されているから、従来構成のように別途のカバーを灯体に取り付ける作業が不要であり、組立作業が容易になる。
【００４９】
さらに、収納室の一面に設けられ点灯装置が挿入される開口が灯体の内部空間に開放されているから、点灯装置については防水のための構造が不要になり、小型化および低コスト化につながる。
【００５０】
請求項２の発明は、請求項１の発明において、点灯装置のケースに第１のカプラとともに電源接続部としての電源カプラが設けられ、電源カプラは灯体の周壁に形成した導出口を通して灯体の外面に露出し、導出口の周部とケースとの間にはパッキンとなる弾性材が挟装されるものであり、電源カプラの周囲のみ弾性材を設けているから、防水のための構造が簡単であり、しかも点灯装置のケースに設けた電源カプラに電源を直接接続するから、電源側に他の配線部材が不要であって低コスト化につながる。
【００５１】
請求項３の発明は、請求項１の発明において、灯体が、放電灯および点灯装置を収納する主筒と、主筒に形成した開口部を覆う形で主筒に着脱可能に取着されたバルブカバーとからなり、収納室の一面が開口部に臨んで開放されているものであり、灯体の内部空間を開閉するように設けたバルブカバーを取り外すことによって点灯装置も着脱可能になる。
【図面の簡単な説明】
【図１】  本発明の第１の実施の形態を示し、（ａ）は断面図、（ｂ）は要部分解斜視図である。
【図２】  同上の要部断面図である。
【図３】  同上の他の構成例を示す断面図である。
【図４】  同上のさらに他の構成例を示す断面図である。
【図５】  同上の別の構成例を示す断面図である。
【図６】  同上の要部断面図である。
【図７】  同上の要部断面図である。
【図８】  同上の要部図である。
【図９】  本発明の第２の実施の形態を示し、（ａ）は断面図、（ｂ）は要部分解斜視図である。
【図１０】  同上の要部を示し、（ａ）は点灯装置の接続前の水平断面図、（ｂ）は点灯装置の接続後の水平断面図である。
【図１１】  本発明の第３の実施の形態を示す断面図である。
【図１２】  同上におけるバルブカバーを外した状態の背面図である。
【図１３】  参考例１を示す断面図である。
【図１４】  参考例２を示す断面図である。
【図１５】  参考例３を示す断面図である。
【図１６】  参考例４を示す断面図である。
【図１７】  （ａ）（ｂ）はそれぞれ同上の構成例を示す要部断面図である。
【図１８】  （ａ）〜（ｃ）は本発明の第４の実施の形態を示す要部の動作説明図である。
【図１９】  （ａ）（ｂ）は同上の要部の動作説明図である。
【図２０】  （ａ）〜（ｃ）はそれぞれ同上の構成例を示す概略断面図である。
【図２１】  従来例を示し、（ａ）は断面図、（ｂ）は要部平面図である。
【図２２】  他の従来例を示し、（ａ）は断面図、（ｂ）は要部平面図、（ｃ）は要部平面図である。
【符号の説明】
１０  灯体
１０ａ  開口部
１２  放電灯
１３  収納室
１４  主筒
１５  バルブカバー
１７ａ  係止突起
１７ｂ  係止凹所
２０  点灯装置
２０ａ  イグナイタ
２０ｂ  インバータ
２１  カプラ
２３  電源カプラ
２４  カプラ
２４ｂ  カプラ
２５  ケース
２５ａ  取付片
２５ｃ  外鍔片
２６  固定ねじ
２８  弾性材
２９  弾性材
３０  固定ビス
Ｌｄ  負荷線
Ｌｐ  電源線
【図１】
0003893812.tif 000002
【図２】
0003893812.tif 000003
【図３】
0003893812.tif 000004
【図４】
0003893812.tif 000005
【図５】
0003893812.tif 000006
【図６】
0003893812.tif 000007
【図７】
0003893812.tif 000008
【図８】
0003893812.tif 000009
【図９】
0003893812.tif 000010
【図１０】
0003893812.tif 000011
【図１１】
0003893812.tif 000012
【図１２】
0003893812.tif 000013
【図１３】
0003893812.tif 000014
【図１４】
0003893812.tif 000015
【図１５】
0003893812.tif 000016
【図１６】
0003893812.tif 000017
【図１７】
0003893812.tif 000018
【図１８】
0003893812.tif 000019
【図１９】
0003893812.tif 000020
【図２０】
0003893812.tif 000021
【図２１】
0003893812.tif 000022
【図２２】
0003893812.tif 000023